【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
半導体光増幅器と、前記半導体光増幅器を内部に含むレーザ共振器とで構成した利得クランプ型の半導体光増幅装置において、信号光に対する実効的な透過損失量が一定値を維持しながら、レーザ発振光に対する共振器損失量が制御可能である可変光減衰機構を有することを特徴とする半導体光増幅装置。
【請求項２】
上記レーザ共振器を少なくとも一方が波長選択性のある反射鏡によって構成するとともに、上記可変光減衰機構として前記レーザ共振器内に可変光減衰器を設けたことを特徴とする請求項１記載の半導体光増幅装置。
【請求項３】
上記レーザ共振器内に信号光が通過しない部分を設け、前記信号光が通過しない部分に上記可変光減衰器を配置したことを特徴とする請求項２記載の半導体光増幅装置。
【請求項４】
上記レーザ共振器を波長選択性のある反射鏡と波長選択性のない反射鏡からなる外部共振器構造とし、前記波長選択性のある反射鏡と上記半導体光増幅装置との間にビームスプリッタを挿入すると共に、前記ビームスプリッタを介してレーザ共振器に垂直な方向から信号光を入射させ、前記波長選択性のある反射鏡とビームスプリッタとの間を上記信号光が通過しない部分としたことを特徴とする請求項３記載の半導体光増幅装置。
【請求項５】
上記レーザ共振器を波長選択性のある反射鏡と波長選択性のない反射鏡からなる外部共振器構造とし、前記波長選択性のある反射鏡と上記半導体光増幅装置との間にビームスプリッタを挿入すると共に、前記ビームスプリッタを介してレーザ共振器に垂直な方向から信号光を出射させ、前記波長選択性のある反射鏡とビームスプリッタとの間を上記信号光が通過しない部分としたことを特徴とする請求項３記載の半導体光増幅装置。
【請求項６】
上記レーザ共振器を一対の波長選択性のある反射鏡からなる外部共振器構造とし、上記半導体光増幅器と前記両方の波長選択性のある反射鏡との間に各々ビームスプリッタを挿入すると共に、前記ビームスプリッタを介してレーザ共振器に垂直な方向から信号光を入出射させ、前記一対の波長選択性のある反射鏡とビームスプリッタとの間の二箇所の領域を上記信号光が通過しない部分としたことを特徴とする請求項３記載の半導体光増幅装置。
【請求項７】
上記レーザ共振器内に信号光が通過しない部分を設けずに、上記可変減衰器としてレーザ発振波長に対しては光減衰量を変えられるが、前記信号光は実効的に減衰しない可変光減衰器を配置したことを特徴とする請求項２記載の半導体光増幅装置。
【請求項８】
上記波長選択性のある反射鏡によりレーザ発振波長を信号光の波長よりも短波長に設定するとともに、上記可変光減衰器として前記レーザ発振波長より短波長側に吸収端波長がある電界吸収型光変調器を用いたことを特徴とする請求項７記載の半導体光増幅装置。
【請求項９】
上記半導体光増幅器と上記電界吸収型光変調器からなる可変光減衰器とをモノリシックに集積化したことを特徴とする請求項８記載の半導体光増幅装置。
【請求項１０】
上記波長選択性のある反射鏡として、ファイバグレーティングを用いたことを特徴とする請求項７乃至９のいずれか１項に記載の半導体光増幅装置。
【請求項１１】
上記波長選択性のある反射鏡として分布ブラッグ反射器を用い、この分布ブラッグ反射器を上記半導体光増幅器と上記電界吸収型光変調器からなる可変光減衰器にモノリシックに一体化したことを特徴とする請求項９記載の半導体光増幅装置。
【請求項１２】
上記半導体光増幅器を２つの２×２型光合分岐器からなるマッハツェンダー干渉器の２つのアームに設けると共に、上記レーザ共振器を入力側の前記光合分岐器の入力ポートの一方と、前記入力ポートに対してクロス位置にある出力側の前記光合分岐器の出力ポートに配置した反射鏡によって構成し、上記可変光減衰機構としての可変光減衰器を前記レーザ共振器内の前記光合分岐器と前記反射鏡との間に設けたことを特徴とする請求項１記載の半導体光増幅装置。
【請求項１３】
上記２×２型光合分岐器として、方向性結合器を用いたことを特徴とする請求項１２記載の半導体光増幅装置。
【請求項１４】
上記２×２型光合分岐器として、マルチモード干渉器を用いたことを特徴とする請求項１２記載の半導体光増幅装置。
【請求項１５】
上記反射鏡の内の少なくとも一方を、波長選択性のある反射鏡で構成したことを特徴とする請求項１２乃至１４のいずれか１項に記載の半導体光増幅装置。
【請求項１６】
上記可変光減衰器として、電界吸収型光変調器を用いたことを特徴とする請求項１２乃至１５のいずれか１項に記載の半導体光増幅装置。
【請求項１７】
上記半導体光増幅器、上記２つの２×２型光合分岐器、上記可変光減衰器、及び、上記反射鏡をモノリシックに集積化したことを特徴とする請求項１２乃至１６のいずれか１項に記載の半導体光増幅装置。
【請求項１８】
半導体光増幅器と、前記半導体光増幅器を内部に含むレーザ共振器とで構成した利得クランプ型の半導体光増幅装置において、前記半導体光増幅器をサニャック型光干渉計のアームに設けるとともに、前記サニャック型光干渉計の一方の入出力ポートにつながる光導波路に反射鏡を配置してレーザ共振器を構成し、且つ、該光導波路内に可変光減衰器を配置し、他方の入出力ポートにつながる光導波路を信号光に対する入出力用光導波路としたことを特徴とする半導体光増幅装置。
【請求項１９】
上記反射鏡として、波長選択性のある反射鏡を用いたことを特徴とする請求項１８記載の半導体光増幅装置。
【請求項２０】
上記サニャック型光干渉計における、半導体光増幅器以外の光導波路部及び光カップラー部分を、光ファイバによって構成することを特徴とする請求項１８または１９に記載の半導体光増幅装置。
【請求項２１】
上記サニャック型光干渉計における、上記半導体光増幅器以外の光導波路部及び光カップラー部分を、プレーナ型誘電体光回路によって構成することを特徴とする請求項１８または１９に記載の半導体光増幅装置。
【請求項２２】
上記サニャック型光干渉計を構成する光導波路、光カップラー部分、アーム、及び、半導体光増幅器を、半導体によりモノリシックに一体化したことを特徴とする請求項１８または１９に記載の半導体光増幅装置。
【請求項２３】
上記サニャック型光干渉計を構成する光導波路、光カップラー部分、及び、アームも、半導体光増幅領域としたことを特徴とする請求項２２記載の半導体光増幅装置。
【手続補正２】
【補正対象書類名】明細書
【補正対象項目名】００３９
【補正方法】変更
【補正の内容】
【００３９】
（１１）また、本発明は、上記（９）において、波長選択性のある反射鏡４として分布ブラッグ反射器を用い、この分布ブラッグ反射器を半導体光増幅器２と電界吸収型光変調器からなる可変光減衰器にモノリシックに一体化したことを特徴とする。
【手続補正３】
【補正対象書類名】明細書
【補正対象項目名】００５３
【補正方法】変更
【補正の内容】
【００５３】
（１８）また、本発明は、半導体光増幅器２と、この半導体光増幅器２を内部に含むレーザ共振器とで構成した利得クランプ型の半導体光増幅装置１において、半導体光増幅器２をサニャック型光干渉計のアームに設けるとともに、このサニャック型光干渉計の一方の入出力ポートにつながる光導波路に反射鏡を配置してレーザ共振器を構成し、且つ、該光導波路内に可変光減衰器３を配置し、他方の入出力ポートにつながる光導波路を信号光７に対する入出力用光導波路としたことを特徴とする。
【手続補正４】
【補正対象書類名】明細書
【補正対象項目名】００５４
【補正方法】変更
【補正の内容】
【００５４】
この様に、サニャック型光干渉計を用いた場合には、半導体光増幅器２は一つだけで良いので、一対の半導体光増幅器２を用いた対称構造の利得クランプ型の半導体光増幅装置１に比べて半導体光増幅器２に要求される対称動作性に関する要件が不要になるので、レーザ発振光と信号光７が混ざる可能性がより低減され、安定した光増幅動作が可能になる。
また、レーザ共振器を構成する光導波路内に可変光減衰器３を配置することにより、共振器損失を連続的に任意に制御することができ、それによって、利得クランプ型の半導体光増幅装置１の特性を用途に応じて最適化することができる。
【手続補正５】
【補正対象書類名】明細書
【補正対象項目名】００６５
【補正方法】削除
【補正の内容】
【手続補正６】
【補正対象書類名】明細書
【補正対象項目名】００６６
【補正方法】削除
【補正の内容】